(57)【特許請求の範囲】
【請求項１】
非接触式の人体検知センサを吐水管に設けてなる自動水栓において
複数の前記人体検知センサとして、水吐水を選択する水用センサと、湯吐水を選択する湯用センサとを前記吐水管に設け、該水用センサを使用者に近い手前側に、該湯用センサを奥側に配置してあることを特徴とする自動水栓。
【請求項２】
請求項１において、前記水用センサと湯用センサとを前記吐水管の管軸方向に配列してあることを特徴とする自動水栓。
【請求項３】
請求項１，２の何れかにおいて、前記水用センサと前記湯用センサとを前記吐水管の上面に設けてあることを特徴とする自動水栓。
【請求項４】
請求項３において、前記吐水管が逆Ｕ字状のグースネック形状のものであって、前記水用センサと湯用センサとが、該吐水管の最上位の部位から先端に向って下向きとなる部分に設けてあることを特徴とする自動水栓。
【請求項５】
請求項１〜４の何れかにおいて、使用者に近い前記水用センサの検知距離が、奥側の前記湯用センサよりも短く設定してあることを特徴とする自動水栓。
【請求項６】
請求項１〜５の何れかにおいて、前記水用センサと前記湯用センサとが実質的に同時に人体検知したときには、奥側の該湯用センサによる人体検知を優先するようになしてあることを特徴とする自動水栓。
【発明の詳細な説明】
【技術分野】
【０００１】
この発明は人体検知センサを吐水管に設けて成る自動水栓に関する。
【背景技術】
【０００２】
従来、吐水管に人体検知センサを設け、差し出された手等を非接触で検知して（人体検知して）吐水口からの吐水と止水とを自動的に行う自動水栓が公共トイレ等の主として手洗用水栓として広く用いられている。
この種の自動水栓では、吐水口の下方に差し出された手を検知すべく一般に人体検知センサが吐水管先端部の下面に設けられている。
このような自動水栓は手洗いを主目的としたものであるため、人体検知センサが手を検知している間だけ吐水を行い、非検知となったところで止水すれば良く、従って人体検知センサは１つあれば目的を達することができる。
【０００３】
しかしながら、例えばキッチン水栓では、水だけでなく湯（所望温度の湯）を出したい場合もあり、水用センサ，湯用センサを設けておくことが望ましい場合もある。
【０００４】
詳しくは、この種自動水栓をキッチン水栓に適用することが近年行われているが、キッチン水栓の場合には単に手を洗うだけでなく、シンクに置いた容器内に水を注いで溜めたり、或いは両手を使いながら洗いもの作業のために水を出し続けなければならないことも多く、しかもシンク作業を行いながら吐水・止水の操作を容易に行い得るものでなければならないことに加えて、キッチン作業に際して水を出すだけでなく湯（所望温度の湯）を出したい場合もあり、従ってキッチン水栓を自動水栓として構成する場合にあっては、人体検知センサが手等人体を検知するごとに吐水と止水とを交互に繰り返すようにしたり、また水吐水，湯吐水の吐水種類に応じて水用センサ，湯用センサを吐水管に備えておくことが望ましい。
この場合、水吐水を選択するための水用の人体検知センサ（水用センサ）と湯吐水を選択するための湯用の人体検知センサ（湯用センサ）とを吐水管に設け、これらを管軸方向の同位置において吐水管先端部の右側面と左側面に分けて配置しておくといったことが考えられる。
このようにしておけば右側面の人体検知センサと左側面の人体検知センサとが同時に手等人体を検知してしまう不具合を極力回避し、センサによる誤検知、ひいては水栓の誤動作を回避し易い利点が得られる。
【０００５】
しかしながら一方で、このようにすると吐水管先端部が左右に太くなってデザイン性，外観が悪化してしまう。
以上キッチン水栓を代表として述べたが、他の自動水栓においても同じ問題が発生する。
【０００６】
尚下記特許文献１には、逆Ｕ字状のグースネック形状の吐水管を有し、その吐水管に人体検出部を設けて成る自動水栓が開示されているが、このものは人体検出部が１つであり本発明とは異なっている。
また下記特許文献２には、吐水管上に温水調節用スイッチや吐水量調節スイッチ等複数のスイッチを設けて成る自動水栓が開示されているが、各スイッチは非接触で人体検知するものではなく本発明とは異なっている。
その他、本発明に関連する先行技術として下記特許文献３，特許文献４に開示されたものがある。
【先行技術文献】
【特許文献】
【０００７】
【特許文献１】特開２００３−２９３４１０号公報
【特許文献２】実開昭６３−１００５５９号公報
【特許文献３】特開２００２−２１２９９０号公報
【特許文献４】特開２０００−３０５５８７号公報
【発明の概要】
【発明が解決しようとする課題】
【０００８】
本発明は以上のような事情を背景とし、水吐水，湯吐水用の人体検知センサを吐水管に設けた場合において、吐水管が太くなってデザイン性，外観を悪化させてしまう問題を特に生じることのない自動水栓を提供することを目的としてなされたものである。
【課題を解決するための手段】
【０００９】
而して請求項１のものは、非接触式の人体検知センサを吐水管に設けてなる自動水栓において、複数の前記人体検知センサとして、水吐水を選択する水用センサと、湯吐水を選択する湯用センサとを前記吐水管に設け、該水用センサを使用者に近い手前側に、該湯用センサを奥側に配置してあることを特徴とする。
【００１０】
請求項２のものは、請求項１において、前記水用センサと湯用センサとを前記吐水管の管軸方向に配列してあることを特徴とする。
【００１１】
請求項３のものは、請求項１，２の何れかにおいて、前記水用センサと前記湯用センサとを前記吐水管の上面に設けてあることを特徴とする。
【００１２】
請求項４のものは、請求項３において、前記吐水管が逆Ｕ字状のグースネック形状のものであって、前記水用センサと湯用センサとが、該吐水管の最上位の部位から先端に向って下向きとなる部分に設けてあることを特徴とする。
【００１３】
請求項５のものは、請求項１〜４の何れかにおいて、使用者に近い前記水用センサの検知距離が、奥側の前記湯用センサよりも短く設定してあることを特徴とする。
【００１４】
請求項６のものは、請求項１〜５の何れかにおいて、前記水用センサと前記湯用センサとが実質的に同時に人体検知したときには、奥側の該湯用センサによる人体検知を優先するようになしてあることを特徴とする。
【発明の作用・効果】
【００１５】
以上のように本発明は、水用センサと湯用センサとを吐水管の管軸方向の前（手前側），後（奥側）に位置を異ならせて配置したもので、このようにすれば吐水管が太くなってしまうのを防止して、吐水管のデザイン性，外観を良好に保つことができる。
ここで水用，湯用の各人体検知センサは、人体を検知し続けなくても一旦人体を検知したなら、その後人体非検知となっても各人体検知センサに対応した所要の動作を行わせるものとなしておくことができる。
また各センサは、人体を検知する毎に吐水と止水とを交互に行わせるものとなしておくことができる。
本発明においては、上記水用センサと湯用センサとを吐水管の管軸方向に配列しておくことができる（請求項２）。
【００１６】
上記水用センサ及び湯用センサは、それぞれ吐水管の上面に設けておくことができる（請求項３）。
このようにすれば、センサに手をかざす動作、即ちセンサに手検知させて水栓を操作する際の操作性が良好となる。
【００１７】
本発明では、逆Ｕ字状のグースネック形状をなす吐水管に対して、その最上位の部位から吐水管先端に向かって下向きとなる部分に上記の水用センサと、湯用センサとを配置しておくことができる（請求項４）。
この場合、温度の低い水を選択するための水用センサが低い位置に、温度の高い湯を選択するための湯用センサが高い位置に位置することとなり、吐水の温度の高低と吐水種類選択用の人体検知センサの位置の高低とが感覚的に直結して、それらの操作がより行い易いものとなる。
【００１８】
次に請求項５は、使用者に近い手前側の水用センサの検知距離を奥側の湯用センサの検知距離よりも短く設定したものである。
【００１９】
通常奥側の湯用センサに手をかざそうとするとき、即ち奥側の湯用センサを操作しようとするとき、使用者に近い位置にある手前側の水用センサを通過して奥側の湯用センサを操作しようとする。
この場合奥側の湯用センサに手を検知させようとしているにも拘わらず、意に反して手前側の水用センサが手を検知してしまい易い。
しかるに請求項５に従って手前側の水用センサの検知距離を短く設定しておけば、このような誤検知を効果的に防止して、その誤検知による水栓の誤動作を防止することができる。
【００２０】
次に請求項６は、使用者に近い手前側の水用センサと奥側の湯用センサとが実質的に同時に人体検知したとき、より奥側の湯用センサによる人体検知を優先するようになしたものである。
【００２１】
例えば使用者が手前側の水用センサだけ操作しようとしたとき、通常その手前側の水用センサよりも奥側まで手を延ばそうとはしない。従って奥側の湯用センサを誤って操作してしまうといった可能性は少ない。
これに対して奥側の湯用センサを操作しようとするときには、手を吐水管の手前側から奥側の湯用センサの方まで延ばそうとするのが普通である。このとき手前側の水用センサと奥側の湯用センサとが実質的に同時に手を検知した状態となる恐れがある。
【００２２】
そこでこの請求項６では、手前側の水用センサと奥側の湯用センサとが同時に手を検知したときには、奥側の湯用センサによる人体検知を優先するようになしたもので、このようにすることで、奥側の湯用センサを操作しようとしたにも拘わらず手前側の水用センサが手を誤検知して水栓の誤動作を招くのを有効に防止することができる。
【００２３】
またこのように請求項５，請求項６に従って水用センサ，湯用センサによる検知距離や優先順位を設けることによって、非接触式の複数のセンサを吐水管の同じ上面に設けたり、また比較的近接して設けたりした場合であっても、良好且つ簡単にセンサの使い分けを行うことができる。
【図面の簡単な説明】
【００２４】
【図１】本発明の一実施形態である自動水栓を示す図である。
【図２】同実施形態の自動水栓の流路を示す図である。
【図３】同実施形態の吐水管と各種センサを示す図である。
【図４】同実施形態のバルブユニットを示す斜視図である。
【図５】図４のバルブユニットを互いに異なる切断面で切断して示す斜視図である。
【図６】図４のバルブユニットの図５とは異なった切断面における断面図である。
【図７】同実施形態における混合弁を示す図である。
【図８】図３の吐水管の内部構造を示す断面図である。
【図９】図８における吐水ヘッドを吐水管本体から離した際の図である。
【図１０】図８の分解斜視図である。
【図１１】図１０の一部を詳しく示した図である。
【図１２】同実施形態における各人体検知センサを示した図である。
【図１３】浄水吐水を行う際の図である。
【図１４】同実施形態における流路切換えの説明図である。
【図１５】同実施形態におけるコントローラの制御の内容を示すフローチャートである。
【図１６】図１５に続くフローチャートである。
【図１７】コントローラによる制御内容をタイムチャートで表した図である。
【図１８】（Ａ）本発明の他の実施形態を示す図である。（Ｂ）参考例を示す図である。
【図１９】他の参考例を示す図である。
【図２０】図１９におけるカプラの内部構造を詳しく示した図である。
【図２１】更に他の参考例を示す図である。
【図２２】図２１の例における制御例を示す図である。
【図２３】更に他の制御例を示す図である。
【図２４】更に他の参考例を示す図である。
【図２５】更に他の参考例を示す図である。
【図２６】更に他の参考例を示す図である。
【図２７】本発明の更に他の実施形態を示す図である。
【図２８】更に他の参考例を示す図である。
【発明を実施するための形態】
【００２５】
次に本発明をキッチン用のホース収納式の自動水栓に適用した場合の実施形態を図面に基づいて詳しく説明する。
図１において、１０はキッチンのキャビネットで、１２はカウンターであり、このカウンター１２上に起立する状態で水栓の本体部１４と吐水管１６とが設けられている。ここで吐水管１６は本体部１４に対して所定角度回動可能とされている。
また吐水管１６は、図３に示しているように逆Ｕ字状のグースネック形状をなしている。
同図に示しているように吐水管１６は、先端に吐水口１８を有し、可撓性のホース２０とともに引出し可能な吐水ヘッド２２と、吐水ヘッド２２を収納位置に保持するホルダとしての働きを有する吐水管本体２４とを有している。
【００２６】
図１に示しているように、キャビネット１０の内部には一対の止水栓２８，３０の間の位置においてバルブユニット２６が配設されている。
そしてこのバルブユニット２６の後述の水流入口９２（図５（イ）参照）に対して給水用の元配管（以下単に給水元管と略す）が止水栓２８，分岐継手３２及び接続ホース３４を介して接続されている。
また後述の湯流入口９４（図５（イ）参照）に対して給湯用の元配管（以下単に給湯元管と略す）が、止水栓３０及び接続ホース３６を介して接続されている。
このバルブユニット２６の水流出口及び湯流出口からは水，湯のサプライ管３８，４０が上向きに延び出しており、それらの先端が上記の水栓の本体部１４に接続されて、その本体部１４に水，湯がそれぞれ供給されるようになっている。
【００２７】
本体部１４には後述の混合弁５８（図２参照）が内蔵されていて、その混合弁５８の下流部から水又は湯（混合弁５８で温調された湯）を流出させる流出管４２が下向きに延び出しており、その先端がカプラ４４を介して上記の可撓性のホース２０に接続されている。
ここでホース２０はカプラ４４から上向きに延び出した後、１回転した上で本体部１４，吐水管本体２４を挿通し吐水ヘッド２２に接続されている。
【００２８】
キャビネット１０の内部にはまた浄水器４６が設けられており、バルブユニット２６の上流部において給水元管からの水が分岐継手３２，ホース４８を通じてこの浄水器４６に導かれるようになっている。
浄水器４６は、水道水を後述のフィルタ６６（図２参照）に通して浄化するもので、その浄化後の浄水を流出させるホース５０が浄水器４６から延び出している。
このホース５０の先端はカプラ４４を介して、吐水ヘッド２２に繋がるホース２０に接続されている。
即ち浄水器４６から流出した浄水がホース５０，２０を通じて吐水ヘッド２２に導かれ、その先端の吐水口１８から吐水されるようになっている。
【００２９】
キャビネット１０の内部にはまた、バルブユニット２６の下側において水栓の動作制御のためのコントローラ（制御部）５２が設けられている。
【００３０】
図２に示しているように本実施形態において給水元管，給湯元管からの水，湯は給水路５４，給湯路５６を通じて本体部１４に内蔵された混合弁５８に供給される。
供給された水と湯とはレバーハンドル６０の操作に基づいて所定比率で混合された上、同じくそのレバーハンドル６０の操作に基づいて決定された所定流量で流出路６２を通じ吐水ヘッド２２に送られ、先端の吐水口１８から吐水される。
ここでレバーハンドル６０は、左右回動操作によって水と湯との混合比率の調節即ち温度調節を行い、また上下回動操作によって流量調節を行う。
【００３１】
給水元管からの水はまた、電磁弁６８の上流部で給水路５４から分岐した浄水路６４に取り出され、そして浄水路６４上に設けられた浄水器４６のフィルタ６６を通過してそこで浄化された上で、浄化後の水（浄水）が混合弁５８をバイパスして流出路６２に導かれ、そしてその流出路６２を通じて吐水ヘッド２２の吐水口１８から吐水されるようになっている。
これら給水路５４，給湯路５６及び浄水路６４のそれぞれには流路を開閉する電磁弁６８，７０，７２及び逆流防止をなす逆止弁７４が配設されている。
尚浄水路６４には定流量弁７３が設けられている。
【００３２】
給水路５４からはまた、電磁弁６８の上流部においてバイパス路７６が分岐して延び出しており、その先端が給湯路５６且つ電磁弁７０及び逆止弁７４の下流部に接続されている。
このバイパス路７６上にもまた、流路を開閉する電磁弁７８と逆止弁７４が設けられている。
これら電磁弁６８，７０，７２，７８はそれぞれコントローラ５２に電気的に接続されていて、コントローラ５２によって動作制御される。
【００３３】
本実施形態において、給水路５４と給湯路５６とを連絡するバイパス路７６を設けているのは次のような理由による。
即ちレバーハンドル６０の操作位置が、混合弁５８内における湯の流路を全開、水の流路を全閉状態とする状態にあると、後述する人体検知センサ（水用センサ１１６）による人体検知に基づいて吐水口１８から水吐水させようとしてもこれを行うことができない。
そこで給水路５４と給湯路５６とをバイパス路７６で連絡しておき、混合弁５８内において水の流路が全閉状態にあっても、給水元管からの水をバイパス路７６，給湯路５６，更に流出路６２を通じて吐水口１８へと供給可能となしているのである。
【００３４】
この実施形態の自動水栓では、図１４（Ａ）に示しているように電磁弁６８及び７８が開，電磁弁７０，７２が閉とされることで、給水路５４及びバイパス路７６、更に給湯路５６の一部を通じて給水元管からの水が混合弁５８に送られ、更にその混合弁５８を経由して流出路６２を通じ、吐水口１８から水が吐水（水吐水）される。
また図１４（Ｂ）に示しているように電磁弁６８及び７０が開，電磁弁７２及び７８が閉の状態の下で、給水元管からの水と給湯元管からの湯がそれぞれ給水路５４及び給湯路５６を通じて混合弁５８に送られてそこで混合され、適温の湯とされた上で流出路６２を通じ吐水口１８から湯が吐水（湯吐水）される。
一方図１４（Ｃ）に示しているように電磁弁６８，７０及び７８の何れもが閉で、電磁弁７２のみが開の状態の下では、給水元管からの水が浄水器４６、つまり浄水路６４の側に導かれてフィルタ６６を通り、浄水となって流出路６２を通じ吐水口１８から吐水（浄水吐水）される。
【００３５】
図７に上記混合弁５８の構成が具体的に示してある。
同図に示しているように混合弁５８は、ハウジング８０の内部に固定弁体８２と、その上面を摺動する可動弁体８４とを有しており、その可動弁体８４に対してレバーハンドル６０が作動的に連結されている。
固定弁体８２には水，湯の入口８６，８６が設けられていて、それら入口８６，８６を通じて、サプライ管３８，４０を図中上向きに送られて来た水と湯とが可動弁体８４の混合室８８内に流入する。
そして混合室８８で混合された後の温調後の湯或いは水が出口８９から流出管４２へと流出して、図２の流出路６２を通じ吐水口１８へと導かれる。
【００３６】
図４〜図６に上記バルブユニット２６の構成が具体的に示してある。
これらの図において９０はバルブボデーで、図５に示しているように水流入口９２，湯流入口９４と、それらに連通して給水路５４，給湯路５６の一部をなす内部流路５４ａ，５６ａを有している。
そしてそれら内部流路５４ａ，５６ａ上に電磁弁６８，７０（図６参照）が設けられている。
【００３７】
バルブボデー９０にはまた、図５（ハ）に示しているように上記バイパス路７６の一部を成す分岐流路７６ａが給水用の内部流路５４ａから分岐しており、この分岐流路７６ａ上にバイパス路７６を開閉するための電磁弁７８（図６参照）が設けられている。
バルブボデー９０には更に、図５（イ）に示しているように分岐流路７６ａを給湯路５６に合流させるための、バイパス路７６の残部をなす合流路７６ｂが設けられており、分岐流路７６ａからの水がこの合流路７６ｂによって給湯路５６に合流し、その後給湯路５６を通じて図２の混合弁５８へと送られるようになっている。
【００３８】
上記電磁弁６８，７０，７８は図６（ロ）に示しているように、主弁としてのダイヤフラム弁９８と、その背後に形成された背圧室１００と、背圧室１００の水抜きを行う水抜水路としてのパイロット水路１０２と、パイロット水路１０２を開閉するパイロット弁としてのプランジャ弁１０４と、固定コア１０６と、プランジャ弁１０４を電磁力で動作させるソレノイド１０８とを有している。
この電磁弁６８，７０，７８においては、ソレノイド１０８への通電によりプランジャ弁１０４を開弁させると、パイロット水路１０２が開放されて背圧室１００の圧力が抜け、主弁としてのダイヤフラム弁９８が開弁動作する。
【００３９】
尚、図４（イ）及び図６（イ）に示しているようにバルブボデー９０には内部の水，湯を抜くための水抜栓１１０と、水抜きに際してダイヤフラム弁９８を手動にて開放させるための開放操作部材１１２とが設けられている。
開放操作部材１１２は、摘み１１４を回転操作することでダイヤフラム弁９８を手動で開放させる。
【００４０】
図３に示しているように、逆Ｕ字状のグースネック形状をなす吐水管１６における吐水管本体２４の先端部、詳しくはその最上位の部位から先端に向かって下向きとなる部分の上面に、水用センサ（水用の人体検知センサ）１１６及び湯用センサ（湯用の人体検知センサ）１１８が、所定間隔隔てて管軸方向に一列に配列されている。
ここで水用センサ１１６は使用者に近い手前側に（前側に）、また湯用センサ１１８は奥側に設けられている。従って水用センサ１１６は湯用センサ１１８に対して下位置に、また湯用センサ１１８は水用センサ１１６に対して上位置に位置している。
本実施形態においては、吐水管本体２４の側面においても浄水用センサ（浄水用の人体検知センサ）１２０が設けられている。
尚吐水管本体２４の先端部下面には、吐水やシンク或いはシンク内の容器等に光を照射してほのかに照らし出す光照射部１２２が設けられている。
【００４１】
この実施形態の自動水栓では、水用センサ１１６の上方に手をかざして水用センサ１１６によりこれを検知させると、吐水口１８から水が吐水（水吐水）される。また水吐水状態の下で再び水用センサ１１６の上方に手をかざすと、そこで水吐水が停止する。即ち止水する。
一方湯用センサ１１８の上方に手をかざすと、湯用センサ１１８による手の検知に基づいて、吐水口１８から適正温度に温度調節された湯（温調水）が吐水（湯吐水）され、そしてその湯吐水中に再び湯用センサ１１８の上方に手をかざすと、そこで湯吐水が停止する。
【００４２】
一方図１３に示しているように吐水管本体２４の先端部側方に手を差し出すと、浄水用センサ１２０がこれを検知し、吐水口１８から浄水が吐水（浄水吐水）される。また浄水吐水状態の下で再び浄水用センサ１２０に対して手をかざすと、そこで浄水吐水が停止する。
そのようにコントローラ５２が対応する各電磁弁６８，７０，７２，７８を動作制御する。
【００４３】
尚ここでは、水用センサ１１６の検知距離が奥側の湯用センサ１１８の検知距離よりも短く設定されている。
即ち各センサ（水用センサ１１６及び湯用センサ１１８）が差し出された手の指を検知するものと想定して、ここでは水用センサ１１６の検知距離が約２ｃｍ程度、湯用センサ１１８の検知距離が約４ｃｍ程度に設定されている。
【００４４】
図８〜図１１に吐水管１６の内部構造が具体的に示してある。
図８，図９及び図１０に示しているように、吐水管本体２４は金属パイプ１２４と、断面Ｕ字状をなして金属パイプ１２４の内部に挿入され内側においてホース２０をガイドし、また外側において上記各水，湯，浄水用の各センサ１１６，１１８，１２０とコントローラ５２とを連絡する電気配線をガイドする湾曲形状のインナ部材１２６と、その先端側に設けられてホース２０を挿通ガイドする概略筒状のガイド部材１２８と、その下側からこれを覆うガイドカバー１３０とを有している。
【００４５】
図１１に示しているようにこのガイド部材１２８の上面には仕切板１３１が固定されており、そしてその仕切板１３１の上面に上記水用センサ１１６，湯用センサ１１８を有するセンサユニット１３２，１３４が載置固定された上、その上側から樹脂製の透光性のセンサカバー１３６が被せられている。
ガイド部材１２８には、その側面に浄水用センサ１２０が取り付けられている。ガイドカバー１３０は、その浄水用センサ１２０に対応する部分が透光性とされている。
【００４６】
上記湯用センサ１１８は光電式のものであって、図１２（Ａ）に示しているようにこの湯用センサ１１８を有するセンサユニット１３４は基板１４０を有していて、そこに赤外線の発光素子１４２と、受光素子１４４と、センサ制御部としてのマイコン１４６が搭載されている。
基板１４０にはまた、湯吐水状態であるかそうでないかを表示するためのＬＥＤ１４８が搭載されており、湯吐水状態の下ではこのＬＥＤ１４８が点滅し、またそうでないときにはＬＥＤ１４８が点灯保持するようになっている。
【００４７】
一方図１２（Ｂ）に示しているように、水用センサ１１６を有するセンサユニット１３２は、基板１４０に赤外線の発光素子１４２と、受光素子１４４と、更に水吐水中であるか否かを表示するＬＥＤ１５０が搭載されている。
ここでＬＥＤ１５０は水吐水中であれば点滅を行い、またそうでないときには点灯状態を保持して、水吐水中であるか否かを表示する。
このセンサユニット１３２にはまた、基板１４０に現在の吐水温度を表示するための３色（ＲＧＢ）ＬＥＤ１５２が搭載されている。
【００４８】
一方図１２（Ｃ）に示しているように浄水用センサ１２０を有するセンサユニット１３８は、基板１４０に赤外線の発光素子１４２と、受光素子１４４及び浄水吐水中であるか否かを表示するためのＬＥＤ１５４が搭載されている。
このＬＥＤ１５４は浄水吐水中においては点滅動作し、またそうでないときには点灯状態を保持することによって、浄水吐水中であるか否かを表示する。
【００４９】
一方吐水ヘッド２２は、図９に示しているように筒状のコア部材１５６と、これを外周側から覆うカバー１５８とを有しており、そのコア部材１５６に対してホース２０の先端部が水密に接続固定されている。
この吐水ヘッド２２の先端には、吐水口１８からの吐水をストレート吐水からシャワー吐水に又はその逆に切換操作する切換操作部１６０が設けられている。
【００５０】
吐水管本体２４と吐水ヘッド２２との間には、図８及び図９に示しているように、それらによって管軸方向に挟まれるようにして温度表示リング１６２が取り付けられている。
この温度表示リング１６２は、概略リング状をなす透光性の樹脂から成っていて、図９の部分拡大図に示しているように後方への延出部１６４が一体に成形されており、この延出部１６４に対して上記３色ＬＥＤ１５２からの光が照射されるようになっている。
３色ＬＥＤ１５２から延出部１６４に照射された光は、温度表示リング１６２の内部を通ってその外周面から周辺に放射される。
【００５１】
３色ＬＥＤ１５２は赤（Ｒｅｄ），緑（Ｇｒｅｅｎ）及び青（Ｂｌｕｅ）を発色するＬＥＤをユニット化したもので、無段階で連続的に色変化が可能であり、温度表示リング１６２はその色変化に基づいて吐水温度を表示する。
即ち吐水温度が低いときには青色を、吐水温度が高いときには赤色を、中間のときにはそれらに応じた色を発色して現在の吐水温度がどのような温度であるかをその色変化によって表示する。
【００５２】
本実施形態では、浄水用センサ１２０，湯用センサ１１８及び水用センサ１１６が実質的に同時に手を検知した場合には、浄水用センサ１２０による検知が最も優先し、その次に湯用センサ１１８による検知が優先するようになっている。
詳しくは、浄水用センサ１２０が手を検知したときには一定時間他のセンサ即ち湯用センサ１１８及び水用センサ１１６の検知が無効化され、一定時間経過後に湯用センサ１１８，水用センサ１１６による検知が有効化される。
また湯用センサ１１８が手を検知したときには、一定時間水用センサ１１６による検知が無効化され、一定時間経過後に水用センサ１１６による検知が有効化される。
コントローラ５２がそのように吐水の動作を制御する。
【００５３】
図１５及び図１６に、コントローラ５２による制御の内容がフローチャートとして具体的に示してある。
図１５に示しているように、先ずここでは浄水用センサ１２０，湯用センサ１１８等が手を検知することによって水用センサ１１６が無効化されていないかがステップＳ１０で判断され、その結果水用センサ１１６が無効化されていない場合には、ステップＳ１２において水用センサ１１６が手を検知したか否かが判断され、その結果水用センサ１１６が手を検知したと判断された場合には、ステップＳ１４において水用センサ１１６を一定時間（例えばここでは数百ｍＳ）無効化した上で、次にステップＳ１６において現在水吐水中か否かが判断され、その結果現在水吐水中でない場合即ち止水状態の時には、水吐水が実行される（ステップＳ１８）。
一方現在水吐水中であれば、ステップＳ２０において水吐水の停止即ち止水が実行される。
そしてその後ステップＳ２６へと移行する。
【００５４】
尚ステップＳ１０において水用センサ１１６が無効中であると判断された場合には、ステップＳ２２に移ってそこで無効時間が終了したか否かが判断され、その結果無効時間が終了していれば、ステップＳ２４において水用センサ１１６の有効化が実行される（ステップＳ２４）。
そして続いてステップＳ２６が実行される。
【００５５】
このステップＳ２６では次に湯用センサ１１８が無効中か否かが判断され、そして無効中でないと判断されたときにはステップＳ２８において湯用センサ１１８が手を検知したか否かが判断される。
その結果湯用センサ１１８が手を検知した場合には、ステップＳ３０において水用センサ１１６と湯用センサ１１８の検知が一定時間無効化された上で、続いてステップＳ３２において現在湯吐水中か否かが判断される。
そして現在湯吐水中でなければステップＳ３４において湯吐水が実行され、また湯吐水中であればステップＳ３６において湯吐水の停止即ち止水が実行される。
そしてその後ステップＳ４２に以降する。
【００５６】
一方ステップＳ２６において湯用センサ１１８が無効中であると判断されたときには、その後ステップＳ３８において無効時間が終了したか否かが判断され、その結果無効時間が終了していれば湯用センサ１１８の有効化が実行される（ステップＳ４０）。
そしてその後ステップＳ４２が実行される。
【００５７】
このステップＳ４２では、浄水用センサ１２０が無効中か否かが判断され、そして無効中でないと判断されたときにはステップＳ４４において浄水用センサ１２０が手を検知したか否かが判断され、その結果浄水用センサ１２０が手を検知していると判断された場合には、ステップＳ４６において水用センサ１１６，湯用センサ１１８及び浄水用センサ１２０が一定時間無効化された上で、ステップＳ４８において現在浄水吐水中か否かが判断され、そして浄水吐水中でなければステップＳ５０において浄水吐水が実行される。
また現在浄水吐水中であるならば、ステップＳ５２において浄水吐水の停止即ち止水が実行される。
【００５８】
一方ステップＳ４２において浄水用センサ１２０が無効中であると判断されたときには、その後ステップＳ５４において無効時間が終了したか否かが判断され、その結果無効時間が終了していれば浄水用センサ１２０の有効化が実行される（ステップＳ５６）。
その後再びＳ１０以下の各ステップが再び実行される。
【００５９】
図１７は上記制御内容をタイムチャートとして表したものである。
図中Ｔ３において浄水用センサ１２０が手を検知し、オン動作したときには所定時間Ｂだけ他のセンサ（湯用センサ１１８，水用センサ１１６）が無効化される結果、その後に湯用センサ１１８が手を検知してもその検知は無効化され、次に再び浄水用センサ１２０が手を検知するまでの間、浄水用の電磁弁７２が開状態に維持されて吐水口１８から浄水が吐水され続ける。
そして次に再び浄水用センサ１２０が手を検知したところで、浄水用の電磁弁７２が閉弁して、そこで浄水吐水が停止する。
【００６０】
この浄水用センサ１２０が２度目にオン動作した場合にも、即ち浄水吐水を停止するために浄水用センサ１２０が２度目にオン動作しても、その後所定時間Ｂだけ他のセンサ（湯用センサ１１８，水用センサ１１６）が無効扱いされる。
従ってこの所定時間Ｂの間に水用センサ１１６が手を検知してもその検知は無効扱いされ、従って水用の電磁弁６８及びバイパス用の電磁弁７８は閉弁状態に保持されて、吐水口１８からの水吐水は行われない。
【００６１】
一方図中Ｔ１において、水用センサ１１６が手を検知してオン動作し、これに基づいて水用の電磁弁６８及びバイパス用の電磁弁７８が開弁し、吐水口１８から水吐水を行っている途中で湯用センサ１１８が手を検知したときには、直ちに所定時間Ａだけ水用センサ１１６が無効化されて、ここにバイパス用の電磁弁７８が閉弁動作し（このとき水用の電磁弁６８は開弁状態に維持される）、これと同時に給湯路５６上の湯用の電磁弁７０が開弁して水と湯とが混合弁５８に、更には吐水口１８に送られてそこから設定温度に温調された湯が吐水される。
そしてその後２度目に湯用センサ１１８が手を検知したとき、即ち湯用センサ１１８がオン動作したところで、給水路５４上の水用の電磁弁６８及び給湯路５６上の湯用の電磁弁７０が何れも閉弁して温調された湯の吐水が停止する。
このときにも所定時間Ａだけ水用センサ１１６が無効化される。
【００６２】
図中Ｔ２において、湯用センサ１１８のオン動作により水用の電磁弁６８と湯用の電磁弁７０とが開弁し、温調された湯が吐水されているときには、その間に水用センサ１１６が手を検知しても即ちオン動作しても水吐水への切換えは行われず、そのまま湯吐水が続行される。
【００６３】
尚、ここでは水用センサ１１６がオン動作すると直ちに水吐水するようにしているが、水用センサ１１６がオン動作した後、所定時間（数百ｍＳ）の間他のセンサ（湯用センサ１１８，浄水用センサ１２０）のオン動作の有無を待ち、その間にオン動作がなければそこで初めて水吐水するようになしても良い。
この点は湯用センサ１１８についても同様で、湯用センサ１１８がオン動作した後、所定時間の間浄水用センサ１２０がオン動作するのか否かを待って、オン動作がなければ初めて湯吐水するようになしても良い。
【００６４】
以上のように本実施形態の自動水栓は、水用センサ１１６，湯用センサ１１８を吐水管１６の管軸方向に一列に配列したため、吐水管１６が太くなってしまうのを防止して吐水管１６のデザイン性，外観を良好に保つことができる。
【００６５】
また水用センサ１１６，湯用センサ１１８は吐水管１６の上面に設けてあるため、各センサ１１６，１１８に手を検知させて水栓を操作する際の操作性が良好である。
また水用センサ１１６を使用者に近い手前側に、湯用センサ１１８を奥側に、詳しくは温度の低い水を選択するための水用センサ１１６を低い位置に、温度の高い湯を選択するための湯用センサ１１８を高い位置に設けてあるため、吐水の温度の高低と吐水種類選択用の水用センサ１１６，湯用センサ１１８の位置の高低とが感覚的に直結して、それらの操作がより行い易いものとなる。
【００６６】
更に本例では使用者に近い手前側の水用センサ１１６の検知距離を奥側の湯用センサ１１８の検知距離に対して短く設定してあり、加えて手前側の水用センサ１１６と奥側の湯用センサ１１８とが実質的に同時に手を検知したときには、奥側の湯用センサ１１８による人体検知を優先するようになしてあるため、奥側の湯用センサ１１８を操作しようとしたにも拘わらず手前側の水用センサ１１６が手を検知してしまうといった誤検知を効果的に防止し得、その誤検知による水栓の誤動作を防止することができる。
このため水，湯用の非接触式の各センサ１１６，１１８を吐水管１６の同じ上面に設けているにも拘わらず、各センサの使い分けを容易になし得て支障なく良好に自動水栓の操作をしかも簡単に行うことができる。
【００６７】
図１８は本発明の他の実施形態を示したもので、図１８（Ａ）の例は、水用センサ１１６と、湯用センサ１１８と、浄水用センサ１２０とを吐水管１６の上面に且つ手前側から奥側に向かって水用センサ１１６，湯用センサ１１８，浄水用センサ１２０の順に一列に配列した例である。
また図１８（Ｂ）の例（参考例）は、吐水管１６の上面且つ最も手前側に浄水用センサ１２０を、その奥側に水用センサ１１６と湯用センサ１１８とを並んで設けた例である。
【００６８】
図１９及び図２０は本発明の他の参考例を示している。
この例では、給水元管からの水及び給湯元管からの湯をそれぞれ上記のようなバルブユニットを経由することなく、直接本体部１４内の混合弁５８に供給するようにし、そして流出路６２を構成する流出管４２とホース２０とを接続するカプラ１７０に、流出路６２を開閉する電磁弁１７２を設けている。
即ちここでは、温調された湯を吐水口１８から吐水させ又は止水するための電磁弁１７２を混合弁５８の２次側（下流側）に設けている。
【００６９】
また一方、混合弁５８の上流部において給水路５４から第２の給水路１７４を分岐して延び出させ、その先端を流出路６２且つ電磁弁１７２の下流部に接続している。
この第２の給水路１７４上には、定流量弁７３と第２の給水路１７４を開閉する電磁弁１７６とが設けてある。
【００７０】
一方吐水管１６には、その上面に湯用センサ１１８と水用センサ１１６とが管軸方向に一列に設けられている。
但しここでは湯用センサ１１８が使用者に近い手前側（前側）に、また水用センサ１１６が奥側に設けられている。
【００７１】
この例においても、使用者に近い手前側の湯用センサ１１８の検知距離が奥側の水用センサ１１６の検知距離よりも短く設定してあり、また湯用センサ１１８と水用センサ１１６とが実質的に同時に人体検知したときには、奥側の水用センサ１１６による人体検知が優先するようになしてある。
【００７２】
この例では、第２の給水路１７４からの水が混合弁５８をバイパスして吐水口１８から水吐水されることから、水吐水の際の流量調節の機能は有しておらず、一定流量で吐水口１８から水吐水される。
【００７３】
図２０にカプラ１７０の内部構造が具体的に示してある。
同図に示しているように、ここではカプラ１７０に、水抜栓１１０と電磁弁１７２の主弁をなすダイヤフラム弁９８を開放させる開放操作部材１１２とが電磁弁１７２と併せて組み込まれている。
【００７４】
図２１は更に他の参考例を示したもので、ここでは第２の給水路１７４に代えて浄水路６４を設け、それに対応して吐水管１６の上面に湯用センサ１１８と浄水用センサ１２０とを管軸方向に一列に且つ湯用センサ（原水用センサ）１１８を使用者に近い手前側に、浄水用センサ１２０を奥側に設けている。
尚この例において、ハンドル６０を水側まで一杯に回動操作しておけば、吐水口１８から湯の代りに水が吐水される。即ちここでは湯用センサ１１８が、吐水口１８から原水を吐水させるための原水用センサとしての働きを有する。
但しここでは湯用センサ１１８を、吐水口１８から湯を吐水させるためのものとして説明する。
【００７５】
この例においても、湯用センサ１１８及び浄水用センサ１２０のうち、使用者に近い手前側の湯用センサ１１８に対して奥側の浄水用センサ１２０が優先され、またその検知距離は、奥側の浄水用センサ１２０に対し手前側の湯用センサ１１８の検知距離が短く設定されている。
この例の場合、水吐水に代えて浄水吐水が行われる以外は図１９及び図２０に示す例と基本的に同様である。
尚ここでは奥側の浄水用センサ１２０を湯用センサ１１８に対し優先させるものとして説明したが、場合によって手前側の湯用センサ１１８を浄水用センサ１２０に対し優先させるようになしても良い。
浄水吐水に比べて湯吐水の方が頻度が高いため、使用頻度の高い湯吐水を使用頻度の少ない浄水吐水に対して優先させるようになすことで、水栓の使い勝手が向上する場合もある。
【００７６】
尚、上記のように浄水用センサ１２０を湯用センサ（原水用センサ）１１８に対して優先させるとしても、場合によって、浄水用センサ１２０を操作しようとして（浄水用センサ１２０にて手検知させようとして）手を延ばしたときに、誤って先に湯用センサ１１８が手を検知してしまうといったことが生じる可能性もある。
【００７７】
例えば現在浄水が吐水されている状態で、浄水吐水を止めようとして手を浄水用センサ１２０の上方に差し出したときに、先ず湯用センサ１１８がこれを検知してしまって、浄水吐水を瞬間的に停止、湯吐水を瞬間的に開始動作し、そして開始動作したところで差出した手が浄水用センサ１２０の上方に延ばされることで、次の瞬間に浄水用センサ１２０が再び手を検知して湯吐水動作を停止するとともに、再び浄水吐水を開始してしまい、結果的に浄水吐水を止めようとして手を差し出したにも拘わらず、浄水が出続けてしまうといったことも起こり得る。
【００７８】
図２２（Ａ）はこのような不具合の発生を防止するための制御の一例を示している。
この図２２（Ａ）は、浄水吐水中において湯用センサ１１８，浄水用センサ１２０のうちの何れが人体検知した場合にも、浄水吐水を停止するようになした例である。
【００７９】
詳しくは、浄水用の電磁弁７２が開弁状態で浄水吐水中に湯用センサ１１８が人体検知すると、そこで浄水用の電磁弁７２が閉弁して浄水吐水が停止する。即ち止水する。
また浄水用センサ１２０による人体検知に基づいて浄水を吐水しているときに、浄水用センサ１２０が人体検知した場合においても、そこで浄水吐水が停止する。
尚、湯用センサ１１８による人体検知により湯吐水中において、浄水用センサ１２０が人体検知した場合においても、そこで湯用の電磁弁１７２が閉弁して湯吐水が停止する。
尚図中Ｔはセンサ状態無視時間で、ここでは０．５秒に設定されている。
【００８０】
一方図２２（Ｂ）は、浄水吐水中に湯用センサ１１８が人体検知したときに浄水の吐水を停止（逆に湯吐水中に浄水用センサ１２０が人体検知したときにも湯吐水を停止）するようになした例である。
即ち吐水種類に対応した人体検知センサではなく、それとは反対の人体検知センサ、つまり浄水吐水に対して湯用センサ１１８（湯吐水に対しては浄水用センサ１２０）が人体検知したときに、吐水を停止するようになした例である。
詳しくは、例えば浄水用の電磁弁７２が開弁状態にあって浄水吐水しているときに、浄水用センサ１２０とは逆の湯用センサ１１８が人体検知したときに始めて浄水吐水が停止する。
【００８１】
次に図２３（Ａ）は吐水後一定時間で吐水停止するようになした場合の例である。
詳しくは、浄水用の電磁弁７２が開弁して浄水吐水を開始した後、予め定めた一定時間Ｔ内で浄水用センサ１２０がオン操作されても、即ち浄水用センサ１２０が人体検知しても浄水吐水は停止せず、浄水の吐水開始から一定時間Ｔを経過することで自動的に浄水吐水が停止する。
【００８２】
一方図２３（Ｂ）の例は、浄水吐水を開始した後一定時間Ｔを経過すると浄水吐水を停止するが、その間に即ち浄水吐水開始してから一定時間Ｔ内に浄水用センサ１２０が再びオン操作された場合即ち人体検知した場合、タイマがリセットされてそこから再度タイムカウントが開始され、そしてそれ以後一定時間Ｔ経過したところで浄水吐水が停止する。
尚これらの制御例は、２種類の吐水種類のうちの一方が吐水されているときに、その吐水を停止するための制御の方法として一般的に適用可能である。
【００８３】
図２４（Ａ）は更に他の参考例を示したもので、この例は湯用センサ（原水用センサ）１１８と浄水用センサ１２０の前後及び上下の配置を逆転させて、浄水用センサ１２０を手前に、湯用センサ１１８を奥側に設けた例である。
尚、単水栓においては奥側の原水用センサが水用センサ１１６（（Ｂ）参照）となる。
【００８４】
図２５は更に他の参考例を示している。
このうち（Ａ）は、吐水用のオンセンサ１８０と止水用のオフセンサ１８２とを吐水管１６に且つ管軸方向に配列した例で、ここではオフセンサ１８２が手前側に、オンセンサ１８０が奥側に配置してある。
一方（Ｂ）の例は、（Ａ）とは逆にオンセンサ１８０を手前側に、オフセンサ１８２を奥側に配置した例である。
【００８５】
次に図２６は更に他の参考例を示したもので、ここでは人体検知センサとして、吐水／止水を行わせるためのオン／オフセンサ１８４と、流路切替用の切替センサ１８６とを吐水管１６に且つ管軸方向に配列させた例である。
ここではオン／オフセンサ１８４を手前側に、切替センサ１８６を奥側に配置している。
一方（Ｂ）の例は、これとは逆に切替センサ１８６を手前側に、オン／オフセンサ１８４を奥側に配置した例である。
【００８６】
図２７は複数の人体検知センサを管軸方向に配列させる場合の他の変形例として、吐水管１６に突出部１８８を設け（ここでは突出部１８８が吐水管１６の側面に設けられている）、その突出部１８８に複数の人体検知センサ１９０，１９２を管軸方向に配列した例である。
ここで人体検知センサ１９０としては上例の様々なセンサを用いることができ、また人体検知センサ１９２として、これとは種類の異なる他の人体検知センサを用いることができる。
尚このように吐水管１６の側方に突出部１８８を設けて、そこに人体検知センサ１９０，１９２を設ける代りに、突出部１８８をなくして吐水管１６の側面自体にこのような人体検知センサ１９０，１９２を管軸方向に配列し設けることもできる。
【００８７】
図２８は更に他の参考例を示している。
この例は、図１９及び図２０に示す第２の給水路１７４，図２１の例における浄水路６４を省略した形態のもので、吐水管１６には湯用センサ１１８のみが設けられている。
他の点については図１９〜図２１に示す例と同様である。
【００８８】
以上本発明の実施形態を参考例とともに詳述したがこれらはあくまで一例示であり、本発明はその趣旨を逸脱しない範囲において種々変更を加えた形態で構成可能である。
【符号の説明】
【００８９】
１６  吐水管
１１６  水用センサ（人体検知センサ）
１１８  湯用センサ（人体検知センサ）
１２０  浄水用センサ（人体検知センサ）
１８０  オンセンサ（人体検知センサ）
１８２  オフセンサ（人体検知センサ）
１８４  オン／オフセンサ（人体検知センサ）
１８６  切替センサ（人体検知センサ）
１９０，１９２  人体検知センサ
【図１】
0005465687.tif 000002
【図２】
0005465687.tif 000003
【図３】
0005465687.tif 000004
【図４】
0005465687.tif 000005
【図５】
0005465687.tif 000006
【図６】
0005465687.tif 000007
【図７】
0005465687.tif 000008
【図８】
0005465687.tif 000009
【図９】
0005465687.tif 000010
【図１０】
0005465687.tif 000011
【図１１】
0005465687.tif 000012
【図１２】
0005465687.tif 000013
【図１３】
0005465687.tif 000014
【図１４】
0005465687.tif 000015
【図１５】
0005465687.tif 000016
【図１６】
0005465687.tif 000017
【図１７】
0005465687.tif 000018
【図１８】
0005465687.tif 000019
【図１９】
0005465687.tif 000020
【図２０】
0005465687.tif 000021
【図２１】
0005465687.tif 000022
【図２２】
0005465687.tif 000023
【図２３】
0005465687.tif 000024
【図２４】
0005465687.tif 000025
【図２５】
0005465687.tif 000026
【図２６】
0005465687.tif 000027
【図２７】
0005465687.tif 000028
【図２８】
0005465687.tif 000029